(57)【要約】【課題】不正なリサイクル業者による二次電池の交換を防止する電池パックを提供する。【解決手段】制御回路は、二次電池の各々の電圧を出力し、二次電池が取り外されたとき異常な電圧を出力する取外し検出部と、取外し検出部からの電圧を検出する電圧検出部と、電圧検出部からの電圧の状態の変化を検出する状態変化検出部と、状態変化検出部により、二次電池の異常な電圧が検出されたとき、状態が変化したことを示す状態変化履歴データを記憶する記憶部と、記憶部に状態変化履歴データが書き込まれている場合、当該電池パックを使用禁止状態にし、記憶部に状態変化履歴データが書き込まれていない場合、当該電池パックを使用可能状態にする状態制御部とを備え、二次電池が取り外されたとき、電池パックを使用不可能状態にことにより、不正に二次電池が取り外されて交換されたとき、その二次電池による外部装置の不具合や故障の原因を取り除くことができる。【選択図】図１
2012133903.tif 000002
【特許請求の範囲】
【請求項１】
複数の二次電池と制御回路を備える電池パックであって、
前記制御回路は、
前記二次電池の各々の電圧を出力し、前記二次電池が取り外されたとき異常な電圧を出力する取外し検出部と、
前記取外し検出部からの電圧を検出する電圧検出部と、
前記電圧検出部からの電圧の状態の変化を検出する状態変化検出部と、
前記状態変化検出部により、前記二次電池の異常な電圧が検出されたとき、状態が変化したことを示す状態変化履歴データを記憶する記憶部と、
前記記憶部に前記状態変化履歴データが書き込まれている場合、当該電池パックを使用禁止状態にし、前記記憶部に前記状態変化履歴データが書き込まれていない場合、当該電池パックを使用可能状態にする状態制御部とを備えることを特徴とする電池パック。
【請求項２】
前記状態変化検出部は、前記二次電池の電圧が、電池パックの通常使用時における前記二次電池の電圧範囲の下限電圧以下となったとき、下限電圧履歴データとして前記記憶部に書き込み、
前記記憶部に前記履歴データが書き込まれている場合、前記状態制御部は、当該電池パックを使用可能状態にすることを特徴とする請求項１に記載の電池パック。
【請求項３】
前記取外し検出部は、前記電圧検出部が前記二次電池の電圧を検出する配線に抵抗とダイオードの並列回路を備えたことを特徴とする請求項１に記載の電池パック。
【請求項４】
前記状態変化検出部は、外部装置が接続されて制御回路に電源供給が開始されたとき、前記記憶部に開始履歴データを記録し、外部装置からオペレータからの操作指示で開始履歴データを消去することを特徴とする請求項１に記載の電池パック。
【発明の詳細な説明】
【技術分野】
【０００１】
本発明は、二次電池を備える電池パックに関するものである。
【背景技術】
【０００２】
近年、ノートパソコンや携帯電話等の電器機器において広く使用されている電池パックは、二次電池の状態を監視し、二次電池を過充電や過放電等から保護する制御回路を備えている。ここで、電池パックは二次電池が寿命に到達すると使用することができなくなるが、制御回路は寿命に到達していないケースが多い。そこで、使用済みの電池パックが備える回路保護基板の電池保護機能の良否を判定し、保護回路基板が電池保護機能を保持している場合は、この保護回路基板に対して新たな二次電池を取り付け、電池パックをリサイクルする技術が知られている（例えば、特許文献１参照）。
【０００３】
しかしながら、電池パックの製造元に許可無く二次電池を交換する不正なリサイクル業者も多く存在し、このような業者によって電池パックが交換されると、粗悪な二次電池が取り付けられる可能性が高く、粗悪な電池パックが市場に流通するといった問題が発生する。また、このような、粗悪な電池パックが市場に流出すると、電池パックの製造元は、多大な損害を被ってしまう。
【０００４】
そこで、マイクロコンピュータを用いて二次電池の端子電圧を監視し、端子電圧が通常の使用で用いられる電圧範囲の下限値以下に設定された設定電圧になった場合、履歴データを不揮発性メモリに記憶させ、マイクロコンピュータが再起動されたときに、不揮発性メモリに履歴データが記憶されている場合にのみ、二次電池の使用を可能にするようにした技術が知られている（例えば、特許文献２参照。）。この場合、二次電池が放電して端子電圧が設定電圧以下になる前に、交換のために二次電池が取り外されると、マイクロコンピュータの動作用電源電圧が供給されないために、マイクロコンピュータが停止し、履歴データが不揮発性メモリに記憶されない。そのため、再び二次電池が取り付けられてマイクロコンピュータが起動した場合には、履歴データが不揮発性メモリに記憶されていないため、二次電池の使用が禁止されるようになっている。
【先行技術文献】
【特許文献】
【０００５】
【特許文献１】特開２００３−９２１５２号公報
【特許文献２】特開２００７−１２８６７４号公報
【発明の概要】
【発明が解決しようとする課題】
【０００６】
しかしながら、特許文献２に記載の技術では、マイクロコンピュータがＥＭＩ（Ｅｌｅｃｔｒｏ−Ｍａｇｎｅｔｉｃ  Ｉｎｔｅｒｆｅｒｅｎｃｅ）などにより起動停止してしまったことを検知できない。このような場合、二次電池は不正に取外しを行われたわけではないが、不正にリサイクルされた電池パックであると判断してしまう。そのため、利用者に対して、使用できなくなるという不都合を与えてしまう恐れがあった。
【０００７】
本発明は、このような事情に鑑みて為された発明であり、二次電池が取り外されたときによるマイクロコンピュータの起動停止とＥＭＩなどのノイズによるマイクロコンピュータの起動停止を判断し、不正なリサイクルが行われたかどうかを検出することができる電池パックを提供することを目的とする。
【課題を解決するための手段】
【０００８】
前記従来の課題を解決するために、本発明の電池パックは、複数の二次電池と制御回路を備える電池パックであって、制御回路は、二次電池の各々の電圧を出力し、二次電池が取り外されたとき異常な電圧を出力する取外し検出部と、取外し検出部からの電圧を検出する電圧検出部と、電圧検出部からの電圧の状態の変化を検出する状態変化検出部と、状態変化検出部により、二次電池の異常な電圧が検出されたとき、状態が変化したことを示す状態変化履歴データを記憶する記憶部と、記憶部に状態変化履歴データが書き込まれている場合、当該電池パックを使用禁止状態にし、記憶部に状態変化履歴データが書き込まれていない場合、当該電池パックを使用可能状態にする状態制御部とを備え、二次電池が取り外されたとき、電池パックを使用不可能状態にする。
【０００９】
本構成によって、不正に二次電池が取り外されて交換されたとき、その二次電池による外部装置の不具合や故障の原因を取り除くことができる。
【発明の効果】
【００１０】
本発明による電池パックによれば、不正なリサイクル業者による二次電池の交換を防止することができる。加えて、ＥＭＩなどのノイズによる想定しないマイクロコンピュータの起動停止に関して不正なリサイクルがされたことを検出しないようにできる。
【図面の簡単な説明】
【００１１】
【図１】本発明の実施の形態１による電池パックのブロック図である。
【図２】電池パックが下限電圧履歴データを書き込む処理を示したフローチャートである。
【図３】電源回路が稼働を開始するときの処理を示すフローチャートである。
【図４】外部接続装置が下限電圧履歴データの有無を判定する処理を示すフローチャートである。
【図５】実施の形態２による電池パックのブロック図である。
【図６】電池パックの稼働開始時の処理を示したフローチャートである。
【図７】電池パックが開始履歴データの有無を判定する処理を示すフローチャートである。
【発明を実施するための形態】
【００１２】
（実施の形態１）
図１は本発明の実施の形態１による電池パック１の構成を示したブロック図である。電池パック１は、制御回路２、二次電池ブロック３、電源回路４、端子Ｔ１，Ｔ２、及び通信端子Ｔ５、ダイオードＤ１，Ｄ２を備えている。端子Ｔ１，Ｔ２及び通信端子Ｔ５の各々には、外部接続装置１００の端子Ｔ３，Ｔ４及び通信端子Ｔ６が接続され、これにより外部接続装置１００と電池パック１が電気的に接続される。
【００１３】
端子Ｔ１，Ｔ２は充放電端子であり、通信端子Ｔ５は、外部接続装置１００と種々のデータを送受信するための端子である。ダイオードＤ１はアノードが通電スイッチ２１に接続され、カソードが電源回路４に接続されている。ダイオードＤ２は、アノードが端子Ｔ１に接続され、カソードが電源回路４に接続されている。
【００１４】
二次電池ブロック３は、直列接続された３個の電池セル３１〜３３を備える。電池セル３１〜３３は、リチウムイオン二次電池、燃料電池、ニッケルカドミウム二次電池等の二次電池から構成される。なお、二次電池ブロック３を構成する電池セルの個数は、３個に限定されず、４個以上の電池セルから構成してもよいし、２個の電池セルから構成してもよい。
【００１５】
制御回路２は、通電スイッチ２１、演算部２２、記憶部２３、電圧検出部２４、電流検出部２５、及び通信部２６、取外し検出部２７を備えている。通電スイッチ２１は、ＦＥＴ等の可逆式のスイッチ又は温度ヒューズ等の非可逆式のスイッチから構成され、演算部２２の制御の下、オン又はオフし、オフ状態において二次電池ブロック３及び端子Ｔ１間を開放し、オン状態において二次電池ブロック３及び端子Ｔ１間を電気的に接続する。
【００１６】
電圧検出部２４は、Ａ／Ｄ変換器等から構成され、電池セル３１〜３３の各々の端子間の電圧を検出し、デジタルの検出データに変換して演算部２２に出力する。電流検出部２５は、電流センサから構成され、二次電池ブロック３の負極及び端子Ｔ２間に接続され、二次電池ブロック３に通電される充電電流、或いは放電電流を検出し、検出データを演算部２２に出力する。
【００１７】
取外し検出部２７はダイオードＤ３、Ｄ４とＲ１、Ｒ２で構成されている。通常、電圧検出部２４はＶＰより電源を取得している。しかし、不正リサイクル防止のために例えばＶＰが切断された場合はＤ３を通じてＶＭから電源を取得することができる。そして、ＶＭから電源を取得する一方、電圧検出部２４ではＶＰの電位が抵抗Ｒ１によって異常電圧を検出する。この異常電圧を検出した際に演算部２２のデータ書込部２２２は記憶部２３に取外し履歴データを書き込み不正な取外しが行われたことを認識する。電圧検出部２４のＧＮＤはＶＧを基準としており、ＶＧが取り外された場合はＤ４を介してＶＬを電圧検出部２４のＧＮＤとする。そして、電圧検出部２４ではＶＧの電位が抵抗Ｒ２によって異常電圧を検出する。これにより取外しが行われたと判断し、演算部２２のデータ書込部２２２は記憶部２３に取外し履歴データを書き込み取外しが行われたことを認識する。
【００１８】
演算部２２は、種々の処理を実行するＣＰＵ（中央演算処理装置）及びＣＰＵの作業領域として用いられるＲＡＭ（ランダムアクセスメモリ）等から構成され、記憶部２３に記憶された制御プログラムを実行することで電池パック１を制御する。ここで、演算部２２は、電圧検出部２４により検出された二次電池ブロック３の電圧と、電流検出部２５により検出された電流とを用いて二次電池ブロック３の残容量を算出する機能、並びに二次電池ブロック３を過充電、過放電、及び過電流から保護する機能を備える。
【００１９】
特に本実施の形態では、演算部２２は、状態変化検出部２２１、データ書込部２２２、状態制御部２２３、操作指令判定部２２４、及びデータ消去部２２５の機能を備えている。これらの機能は、演算部２２が記憶部２３に書き込まれた制御プログラムを実行することで実現される。
【００２０】
状態変化検出部２２１は、電圧検出部２４から出力された検出データを用いて、二次電池ブロック３を構成する少なくとも１つの電池セルの電圧が予め定められた下限電圧以下になったことを、電池パック１の状態の変化として検出する。ここで、下限電圧は、ユーザが電池パックの充電を数ヶ月間、全く行わない場合に到達する電圧であり、一般ユーザが電池パックを普通に使用している場合は到達しない電圧である。例えば、電池セル３１〜３３の満充電時の電圧の２０％以下などと設定することができる。また。状態変化検出部２２１は電圧検出部２４から出力された検出データを用いて二次電池ブロック３が制御回路２から取り外されたことを、電池パック１の状態の変化として検出する。
【００２１】
データ書込部２２２は、状態変化検出部２２１が少なくとも１つの電池セルの電圧が下限電圧以下になったことを検出したとき、下限電圧履歴データを記憶部２３に書き込み、書き込み処理が終了したとき、電源回路４に電池パックの稼働を停止させる信号を出力する。
【００２２】
また、データ書込部２２２は、電池パック１の稼働が開始されたとき、記憶部２３に下限電圧履歴データが書き込まれていない場合は、記憶部２３に下限電圧履歴データを書き込む。
【００２３】
また、データ書込部２２２は状態変化検出部２２１が、二次電池ブロック３が制御回路２から取り外されたことを検出したとき、取外し履歴データを記憶部２３に書き込む。
【００２４】
更に、データ書込部２２２は、操作指令判定部２２４により、外部接続装置１００を用いて入力された操作指令が記憶部２３に下限電圧履歴データを書き込むための書込指令であると判定された場合、記憶部２３に下限電圧履歴データを書き込む。
【００２５】
状態制御部２２３は、記憶部２３に下限電圧履歴データが書き込まれている場合もしくは取外し履歴データが書き込まれている場合、通電スイッチ２１をオフさせる、又は電源回路４に電池パック１の稼働を停止させ、電池パック１を使用禁止状態にする。また、状態制御部２２３は、記憶部２３に下限電圧履歴データが書き込まれていない場合および取外し履歴が書き込まれていない場合、通電スイッチ２１をオンさせ、電池パック１を使用可能状態にする。
【００２６】
操作指令判定部２２４は、外部接続装置１００を用いてオペレータにより入力された操作指令を通信部２６が受信したとき、受信した操作指令が下限電圧履歴データを消去するための消去指令であるか否か、又は下限電圧履歴データを書き込むための書込指令であるか否かを判定する。
【００２７】
データ消去部２２５は、電源回路４の稼働が開始されたとき、記憶部２３に下限電圧履歴データが書き込まれている場合は、記憶部２３から下限電圧履歴データを消去する。また、データ消去部２２５は、操作指令判定部２２４により、外部接続装置１００を用いて入力された操作指令が下限電圧履歴データを消去するための消去指令であると判定されたとき、記憶部２３から下限電圧履歴データを消去する。
【００２８】
通信部２６は、通信端子Ｔ５を介して外部接続装置１００から種々のデータを受信すると共に、外部接続装置１００に対して種々のデータを送信する。具体的には、通信部２６は、演算部２２が算出した二次電池ブロック３の残容量を示すデータを送信したり、外部接続装置１００からオペレータが入力した操作指令を受信したりする。
【００２９】
記憶部２３は、ＥＰＲＯＭ等の書き換え可能な不揮発性の記憶装置から構成され、電池パック１を制御するための制御プログラムを記憶していると共に、データ書込部２２２によって書き込まれた下限電圧履歴データ等を記憶する。
【００３０】
電源回路４は、二次電池ブロック３又は外部接続装置１００からの電力を安定化させて、制御回路２に供給し、電池パック１を稼働させる。ここで、電源回路４は、状態変化検出部２２１が少なくとも１つの電池セルの電圧が下限電圧以下になったことを検出して、データ書込部２２２が記憶部２３に下限電圧履歴データを書き込んだとき、稼働を停止し、演算部２２に対して供給される電力を遮断する。一方、電源回路４は稼働を停止しているときに、外部接続装置１００が接続され、端子Ｔ１，Ｔ２に所定レベルの電圧が印加されたとき、稼働を開始し制御回路２に対して電力供給を開始する。なお、電源回路４は、二次電池ブロック３が取り外されて、電源回路４への電力供給が停止されたときも稼働を停止し、制御回路２への電力供給を停止する。
【００３１】
ここで、電池パック１は、電源回路４が稼働した状態で出荷されることが一般的であり、また、一般ユーザも、少なくとも１つの電池セルが下限電圧以下になるまで電池パック１を使用することは稀であるため、一般ユーザが所持している電池パック１の電源回路４の稼働の停止は稀にしか起こらない。
【００３２】
外部接続装置１００は、二次電池ブロック３を充電する充電装置、或いは負荷装置から構成される。また、外部接続装置１００は通信機能を備え、通信端子Ｔ６を介して電池パック１に対して種々のデータを送信したり、電池パック１から種々のデータを受信したりする。負荷装置としては、ノート型のパーソナルコンピュータ、携帯電話、ＰＤＡ、電動工具等の装置を採用することができる。
【００３３】
更に、外部接続装置１００は、制御部１０１、通電スイッチ１０２、及び入力部１０３を備えている。制御部１０１は、外部接続装置１００全体の制御を司る。通電スイッチ１０２は、ＦＥＴ等の可逆式のスイッチ又は温度ヒューズ等の非可逆式のスイッチから構成され、制御部１０１の制御の下、オン又はオフする。入力部１０３は、記憶部２３に下限電圧履歴データを書き込むためのオペレータからの書込指令又は消去するためのオペレータからの消去指令を受け付ける。
【００３４】
なお、本実施の形態では、端子Ｔ１，Ｔ２、通信端子Ｔ５、及び通信部２６が受付部の一例に相当する。
【００３５】
次に、実施の形態１の電池パック１による下限電圧履歴データの書き込み処理について図２のフローチャートを用いて説明する。まず、ステップＳ１において、状態変化検出部２２１が二次電池ブロック３を構成する少なくとも１つの電池セルの電圧が所定の下限電圧以下になったかどうかを確認する（ステップＳ１）。ステップＳ１において、所定の下限電圧以下になったことを検出した場合（ステップＳ１でＹＥＳ）、データ書込部２２２は、記憶部２３に下限電圧履歴データを書き込む（ステップＳ２）。一方、ステップＳ１において、状態変化検出部２２１が、二次電池ブロック３を構成する少なくとも１つの電池セルの電圧が下限電圧以下になったことを検出しない場合（ステップＳ１でＮＯ）、処理をステップＳ１に戻す。
【００３６】
そして、データ書込部２２２は、電源回路４に対して電池パック１の稼働の停止を指示する信号を出力し、電源回路４は稼働を停止して、制御回路２への電力供給を停止する（ステップＳ３）。
【００３７】
次に、実施の形態１の電池パック１による取外し履歴データの書き込み処理について図３のフローチャートを用いて説明する。まず、状態変化検出部２２１が、二次電池ブロック３の電池セル３１〜３３の何れかが制御回路２より取り外されたかどうかを確認する（ステップＳ１１）。ここでは、状態変化検出部２２１が、電圧検出部２４から出力された検出データを用いて、二次電池ブロック３を構成する少なくとも１つの電池セルの電圧が予め定められた下限電圧以下になったことで、電池セルが取り外されたと検出する。ステップＳ１１において、電池セルの何れかが取り外されたと検出した場合（ステップＳ１１でＹＥＳ）、データ書込部２２２は、記憶部２３に取外し履歴データを書き込む（ステップＳ１２）。一方、ステップＳ１１において、状態変化検出部２２１が、二次電池ブロック３が制御回路２より取り外されたことを検出しない場合（ステップＳ１１でＮＯ）、処理をステップＳ１１に戻す。
【００３８】
次に、図４を用いて、電源回路４の稼働開始時の処理について説明する。なお、このフローチャートの処理が実行される前、電源回路４は稼働を停止していたものとする。まず、端子Ｔ１，Ｔ２及び通信端子Ｔ５に外部接続装置１００の端子Ｔ３，Ｔ４及び通信端子Ｔ６が接続され、電源回路４に所定レベル以上の電圧が印加されると、電源回路４は稼働を開始して制御回路２への電力供給を開始する（ステップＳ２１）。
【００３９】
データ書込部２２２又はデータ消去部２２５は記憶部２３に下限電圧履歴データが記憶されているか否かを判定し（ステップＳ２２）、データ書込部２２２又は記憶部２３に取外し履歴データが記憶されているか否かを判定する（ステップＳ２３）。そして、記憶部２３に下限電圧履歴データが記憶されているかどうかを確認する（ステップＳ２４）。ステップＳ２４において、下限電圧履歴データが記憶されている場合（ステップＳ２４でＹＥＳ）、データ消去部２２５は、二次電池ブロック３を使用可能状態にするために、記憶部２３に記憶されている下限電圧履歴データを消去する（ステップＳ２５）。
【００４０】
状態制御部２２３は、記憶部２３に下限電圧履歴データおよび取外し履歴データが書き込まれていないため、通電スイッチ２１をオンして電池パック１を使用可能状態にする（ステップＳ２６）。ここで、状態制御部２２３は、例えば記憶部２３に下限電圧履歴データが書き込まれているか否かの判定を一定時間毎に行う。
【００４１】
ステップＳ２４において、記憶部２３に下限電圧履歴データが記憶されていない場合（ステップＳ２４でＮＯ）、記憶部２３に取外し履歴データが記憶されているかどうかを確認する（ステップＳ２７）。ステップＳ２７において、取外し履歴データが記憶されていない場合（ステップＳ２７でＹＥＳ）、データ書込部２２２は、記憶部２３に下限電圧履歴データを書き込む（ステップＳ２８）。状態制御部２２３は、記憶部２３に下限電圧履歴データが書き込まれているため、通電スイッチ２１をオフして電池パック１を使用禁状態にする（ステップＳ２９）。ここで、状態制御部２２３は、電源回路４に電池パック１の稼働を停止させることで、電池パック１を使用禁止状態にしてもよい。また、ステップＳ２７において、記憶部２３に取外し履歴データが記憶されていない場合（ステップＳ２７でＮＯ）、二次電池ブロック３が制御回路２より不正に取り外されていないと判断し、電池パック１を使用可能状態にする。
【００４２】
以上説明したように実施の形態１の電池パック１によれば、二次電池ブロック３を構成する電池セル３１〜３３のうち、いずれかの電池セルの電圧が下限電圧以下となり電池パック１の稼働が停止される際、データ書込部２２２は記憶部２３に下限電圧履歴データを書き込む。また、制御回路２が二次電池ブロック３より取り外された場合それを検出し、データ書込部２２２は記憶部２３に取外し履歴データを書き込む。
【００４３】
そのため、電池セル３１〜３３のいずれかの電圧が下限電圧以下となる前に電池パック１から二次電池ブロック３が取り外された場合は、記憶部２３には下限電圧履歴データが書き込まれることなく電源回路４は稼働を停止する。加えて、取外し検出部により二次電池ブロック３が制御回路２より取り外されたことを検出し記憶部２３に取外し履歴データが記憶される。
【００４４】
そして、電源回路４の稼働が開始されるとき、記憶部２３に下限電圧履歴データが書き込まれておらず、かつ、記憶部２３に取外し履歴データが書き込まれている場合、データ書込部２２２は、記憶部２３に下限電圧履歴データを書き込み、二次電池ブロック３を使用禁止状態にする。
【００４５】
一方、電源回路４の稼働が開始されるとき、記憶部２３に下限電圧履歴データが書き込まれておらず、かつ、記憶部２３に取外し履歴データが書き込まれていない場合、電池パック１を使用可能状態にする。
【００４６】
また、電源回路４の稼働が開始されるとき、記憶部２３に下限電圧履歴データが書き込まれている場合は、データ消去部２２５は記憶部２３から下限電圧履歴データを消去して、電池パック１を使用可能状態にする。
【００４７】
また、ＥＭＩなどのノイズによりマイクロコンピュータの起動が停止した場合、次回起動時に下限電圧履歴データが書き込まれていないが、取外し履歴データが書き込まれていないため、電池パック１を使用可能とすることができ、不正なリサイクルを行っていない場合における誤動作を回避することができる。
【００４８】
なお、新品の電池パック１は、下限電圧履歴データが書き込まれていないため、使用禁止状態となっているが、これを防止するために、新品の電池パック１を出荷する前に、この電池パック１に外部接続装置１００を接続し、外部接続装置１００から書込指令を入力して、記憶部２３に下限電圧履歴データを書き込ませ、電源回路４の稼働を開始させてから新品の電池パック１を出荷すればよい。
【００４９】
（実施の形態２）
次に実施の形態２による電池パック１ａについて説明する。実施の形態２による電池パック１ａは、稼働停止時に下限電圧履歴データを書き込む代わりに、稼働開始時に開始履歴データを書き込むことを特徴とする。図５は、実施の形態２による電池パック１ａのブロック図を示している。なお、実施の形態２の電池パック１ａにおいて実施の形態１と同一のものは同一の符号を付し説明を省略する。
【００５０】
状態変化検出部２２１ａは、外部接続装置１００が接続され、端子Ｔ１，Ｔ２に所定の電圧が印加され、電源回路４が稼働を開始し、制御回路２に電力供給を開始したとき、電池パック１ａの状態が変化したと判定する。
【００５１】
データ書込部２２２ａは、状態変化検出部２２１ａにより電源回路４の稼働開始が検出されたとき、記憶部２３に稼働が開始したことを示す開始履歴データを書き込む。
【００５２】
データ消去部２２５ａは、操作指令判定部２２４ａによりオペレータからの操作指令が開始履歴データを消去するための消去指令であると判定されたとき、記憶部２３から開始履歴データを消去する。
【００５３】
操作指令判定部２２４ａは、外部接続装置１００を用いてオペレータにより入力された操作指令を通信部２６が受信したとき、受信した操作指令が開始履歴データを消去するための消去指令であるか否かを判定する。
【００５４】
次に、実施の形態２による電池パック１ａの動作について説明する。図６は、電池パック１ａの起動時の処理を示したフローチャートである。なお、このフローチャートの処理が実行される前、電池パック１は稼働が停止されていたものとする。
【００５５】
まず、状態変化検出部２２１ａは、端子Ｔ１，Ｔ２及び通信端子Ｔ５に外部接続装置１００の端子Ｔ３，Ｔ４及び通信端子Ｔ６が接続され、電源回路４により制御回路２に電力供給が開始されたことを検出する（ステップＳ３１）。
【００５６】
データ書込部２２２ａは、記憶部２３に開始履歴データを書き込む（ステップＳ３２）。データ消去部２２５ａは、操作指令判定部２２４ａにより外部接続装置１００から送信された操作指令が開始履歴データを消去するための消去指令であるかどうかを判定する（ステップＳ３３）。ステップＳ３３において、消去指令であると判定されると（ステップＳ３３でＹＥＳ）、記憶部２３から開始履歴データを消去する。一方、ステップＳ３３において、データ消去部２２５ａは、通信部２６が外部接続装置１００からの開始履歴データの消去指令を受信しない場合（ステップＳ３３でＮＯ）、処理を終了させる。
【００５７】
図７は、電源回路４の稼働開始時の処理を示したフローチャートである。まず、状態制御部２２３は、記憶部２３に開始履歴データが書き込まれているか否かを判定する（ステップＳ４１）。ステップＳ４１において、開始履歴データが書き込まれている場合（ステップＳ４１でＹＥＳ）、次に取外し履歴データが記憶部２３に書き込まれているか否かを判定する（ステップＳ４２）。ステップＳ４２にて取外し履歴データが書き込まれている場合（ステップＳ４２にてＹＥＳ）、通電スイッチ２１をオフにして、電池パック１ａを使用禁止状態にする（ステップＳ４３）。
【００５８】
一方、ステップＳ４１において、状態制御部２２３は、記憶部２３に開始履歴データが書き込まれていない場合（ステップＳ４１でＮＯ）や、ステップＳ４２において、状態制御部２２３は記憶部２３に取外し履歴データが書き込まれていなかった場合（ステップＳ４２にてＮＯ）の場合、通電スイッチ２１をオンし、電池パック１ａを使用可能状態にする（ステップＳ４４）。
【００５９】
以上、説明したように、実施の形態２による電池パック１ａによれば、電池パック１ａのリサイクル工程において、二次電池ブロック３が交換され、電池パック１ａの稼働が開始されたとき、記憶部２３に開始履歴データが書き込まれる。そして、状態制御部２２３は開始履歴データが記憶部２３に書き込まれている場合は、電池パック１ａを使用禁止状態にし、開始履歴データが記憶部２３に書き込まれていないかつ、取外し履歴データが書き込まれている場合は、電池パック１ａを使用可能状態にする。
【００６０】
ここで、電池パック１ａの製造元は、正規のリサイクル業者のみに開始履歴データの消去指令を教えるようにする。これにより、正規のリサイクル業者は、リサイクル工程において、二次電池ブロック３を交換して電源回路４の稼働を開始させたときに記憶部２３に書き込まれた開始履歴データを消去して、電池パック１ａを出荷することができる。
【００６１】
一方、不正なリサイクル業者は、上記消去指令を知らないため、リサイクル工程において、電源回路４の稼働を開始させたときに記憶部２３に書き込まれた開始履歴データを消去して電池パック１ａを出荷することができない。そのため、不正なリサイクル業者による二次電池ブロック３の交換を防止することができる。
【００６２】
また、ＥＭＩなどのノイズによりマイクロコンピュータの起動が停止した場合、次回起動時に開始履歴データが書き込まれていたとしても、取外し履歴データが書き込まれていないため、電池パック１ａを使用可能とすることができ、不正なリサイクルを行っていない場合における誤動作を回避することができる。
【産業上の利用可能性】
【００６３】
本発明によれば、不正な業者による二次電池ブロックの交換を防止することができるため、携帯電話やノートパソコン等の装置に対して有用な電池パックを提供することができる。
【符号の説明】
【００６４】
１，１ａ  電池パック
２  制御回路
３  二次電池ブロック
４  電源回路
２１  通電スイッチ
２２  演算部
２２１，２２１ａ  状態変化検出部
２２２，２２２ａ  データ書込部
２２３  状態制御部
２２４，２２４ａ  操作指令判定部
２２５，２２５ａ  データ消去部
２３  記憶部
２４  電圧検出部
２５  電流検出部
２６  通信部
２７  取外し検出部
３１，３２，３３  電池セル
１００  外部接続装置
１０１  制御部
１０２  通電スイッチ
１０３  入力部
Ｔ１，Ｔ２，Ｔ３，Ｔ４  端子
Ｔ５，Ｔ６  通信端子
【図１】
2012133903.tif 000003
【図２】
2012133903.tif 000004
【図３】
2012133903.tif 000005
【図４】
2012133903.tif 000006
【図５】
2012133903.tif 000007
【図６】
2012133903.tif 000008
【図７】
2012133903.tif 000009